(57)【特許請求の範囲】
【請求項１】
ベース上に立設した仕切板により内部ユニットを室内側熱交換室と室外側熱交換室とに区画し、前記室内側熱交換室に室内熱交換器と、ファンケーシング内に収納されたシロッコファンとを備え、前記室外側熱交換室に室外熱交換器と、プロペラファンと、同プロペラファンと前記シロッコファンとを駆動するファンモータと、前記プロペラファンの外径を囲むファンリングを備えたエアガイダと、圧縮機とを備えた一体型空気調和機において、
前記室外熱交換器は、前記仕切板と対向して前記ベースに下端が固定された室外側側板を両端部に備えてＵ字形状に折曲され、前記エアガイダは前記室外側側板にそれぞれ固定され、同室外側側板同士と、同室外側側板および前記仕切板の上端同士とが枠形状の支持部材により連結され、前記室内側熱交換室の上部は、前記仕切板と前記支持部材とに取り付けられた室内側天板で覆われ、前記室外側熱交換室の上部は、前記室外側側板と前記支持部材とに取り付けられた室外側天板で覆われてなることを特徴とする一体型空気調和機。
【発明の詳細な説明】
【技術分野】
【０００１】
本発明は、一体型空気調和機の内部ユニットに係わるものである。
【背景技術】
【０００２】
従来の一体型空気調和機は、図８に示すように、内部ユニット１０１が仕切板１０２で前部の室内側熱交換室Ａと後部の室外側熱交換室Ｂとに区画され、これら室内側熱交換室Ａの上部および室外側熱交換室Ｂの上部に一枚の天板１０３が固定されることで、内部ユニット１０１の剛性を増強させたものが知られている（例えば、特許文献１）。
【０００３】
しかしながら、一枚の天板１０３が内部ユニット１０１に固定されて、室内側熱交換室Ａの上部および室外側熱交換室Ｂの上部が覆われる構成にしたことで、この天板１０３が大型化してコスト高になる問題点があった。
【０００４】
また、砂埃が激しい環境下では、砂埃が入り込んで熱交換性能が低下するのを避けるため、内部ユニット１０１の洗浄が行われる。洗浄は、内部ユニット１０１からプロペラファン１０４やファンモータ（図示せず）等を取り外したのち、室内側熱交換室Ａと室外側熱交換室Ｂとが上下になるように縦置きに仮設置し、洗浄装置で室内熱交換器１０７および室外熱交換器１０８を洗浄して入り込んだ砂埃を機外へ洗い流すものである。
【０００５】
その際、天板１０３が仕切板１０２とプロペラファン１０４に導風するエアガイダ１０５との間だけに開口部１０６を有した構成であるため、室内側熱交換室Ａに備えた室内熱交換器１０７の裏側および室外側熱交換室Ｂに備えた室外熱交換器１０８の裏側を洗浄するには、天板１０３を内部ユニット１０１から取り外す必要があった。
【０００６】
そのため、室内熱交換器１０７および室外熱交換器１０８を洗浄する際、内部ユニット１０１は天板１０３を取り外すことにより剛性が不足することになって、室内側熱交換室Ａと室外側熱交換室Ｂとが上下になるように縦置きに仮設置されることで、内部ユニット１０１が変形もしくは損傷してしまう虞があった。
【先行技術文献】
【特許文献】
【０００７】
【特許文献１】特開平７−１５８８９４号公報
【発明の概要】
【発明が解決しようとする課題】
【０００８】
本発明は、上記問題点に鑑み、内部ユニットを洗浄する際に、洗浄作業のため縦置きに設置されても変形もしくは損傷することなく内部ユニット内を洗浄できるようにした一体型空気調和機を提供することを目的とする。
【課題を解決するための手段】
【０００９】
上述した目的を達成するため、本発明は以下に示す特徴を備えている。
【００１０】
ベース上に立設した仕切板により内部ユニットを室内側熱交換室と室外側熱交換室とに区画し、前記室内側熱交換室に室内熱交換器と、ファンケーシング内に収納されたシロッコファンとを備え、前記室外側熱交換室に室外熱交換器と、プロペラファンと、同プロペラファンと前記シロッコファンとを駆動するファンモータと、前記プロペラファンの外径を囲むファンリングを備えたエアガイダと、圧縮機とを備えた一体型空気調和機において、
前記室外熱交換器は、前記仕切板と対向して前記ベースに下端が固定された室外側側板を両端部に備えてＵ字形状に折曲され、前記エアガイダは前記室外側側板にそれぞれ固定され、同室外側側板同士と、同室外側側板および前記仕切板の上端同士とが枠形状の支持部材により連結され、前記室内側熱交換室の上部は、前記仕切板と前記支持部材とに取り付けられた室内側天板で覆われ、前記室外側熱交換室の上部は、前記側板と前記支持部材とに取り付けられた室外側天板で覆われてなることを特徴としている。
【発明の効果】
【００１１】
本発明によれば、内部ユニットを洗浄する際に、洗浄作業のため縦置きに設置されても変形もしくは損傷することなく内部ユニット内を洗浄できるようにした一体型空気調和機を提供できる。
【図面の簡単な説明】
【００１２】
【図１】本発明による一体型空気調和機の外観斜視図である。
【図２】本発明による一体型空気調和機の要部斜視図である。
【図３】本発明による一体型空気調和機の要部分解斜視図である。
【図４】本発明による一体型空気調和機のシロッコファンおよびプロペラファンを取り外した分解説明図である。
【図５】本発明による一体型空気調和機のファンモータを取り外した分解説明図である。
【図６】本発明による一体型空気調和機の内部ユニットを縦置きにする説明図である。
【図７】本発明による一体型空気調和機の内部ユニットを洗浄する斜視図である。
【図８】従来例による一体型空気調和機の内部ユニットの斜視図である。
【発明を実施するための形態】
【００１３】
以下、本発明の実施の形態を、添付図面に基づいた実施例として詳細に説明する。
【００１４】
本発明による一体型空気調和機は、図２に示す内部ユニット１が、図１に示す室外側吸込口２ａと、室外側吹出口２ｂとを備えた外胴２内に収納され，室内側吸込口２ｃと、図２に示す室内側吹出口１ａの開口２ｄとを備えた前面パネル２ｅで前面が覆われた構成になっている。
【００１５】
内部ユニット１は、図２および図３に示すように、ベース３上に立設され、仕切面４ａと、仕切面４ａの両側部を室内側熱交換室５の側に折曲した側面４ｂおよび側面４ｃとからなる仕切板４で仕切られることによって前部の室内側熱交換室５と後部の室外側熱交換室６とに区画されている。
【００１６】
室内側熱交換室５の一側寄りに、ベース３に固定した室内側側板７ａ，７ａで支持された室内熱交換器７と、シロッコファン８とが設けられ、室内側熱交換室５の他側寄りに、室内熱交換器７の冷媒との間で熱交換された空気を室内に吹き出す室内側吹出口１ａと、シロッコファン８と室内側吹出口１ａとを結ぶ空気通路となるダクト５１とが設けられ、ダクト５１の下部に本発明による一体型空気調和機を運転制御する電装部５２が設けられ、電装部５２の前面に運転操作をするための操作部１ｂが設けられている。
【００１７】
室内側熱交換室５の上部には、板金製の室内側天板１９が、図３に示す仕切面４ａと、側面４ｂおよび側面４ｃとからなる仕切板４を覆うように、図２に示すねじ締め固定部１８ａにより、仕切面４ａと、側面４ｂおよび側面４ｃとにねじ締めで着脱可能に取り付けられている。
【００１８】
室外側熱交換室６には、ベース３に下端を固定した室外側側板１４，１４を両端部に備えてＵ字形状に折り曲げられた室外熱交換器９と、室外熱交換器９を保護する保護網２２と、ファンモータ２０と、ファンモータ２０で駆動されるプロペラファン１０と、プロペラファン１０の外径を囲むファンリング１１を備えたエアガイダ１２と、圧縮機１３とが設けられている。
【００１９】
室外側熱交換室６の上部には、板金製の室外側天板２１が、図３に示すプロペラファン１０を囲むファンリング１１を備えたエアガイダ１２と、室外熱交換器９とを覆うように、図２に示すねじ締め固定部１８ｂにより、室外側側板１４，１４および室外側側板１４，１４に固定された支持部材１５にねじ締めで着脱可能に取り付けられている。なお、室外側天板２１は、室外側側板１４，１４に固定された支持部材１５に、ねじ締め固定されるようにしてもよい。
【００２０】
ベース３に固定された仕切板４は、ベース３に固定された室外熱交換器９の室外側側板１４，１４に仕切面４ａを対向させた構成になっており、仕切板４および室外側側板１４，１４が、ともに板金からなる構成になっている。そして、これら室外側側板１４，１４同士の間と、仕切板４と室外側側板１４，１４の上端部との間が、板金製の支持板からなる支持部材１５によって連結されている。
【００２１】
板金製の支持部材１５は、図２および図３に示すように、仕切板４と室外側側板１４，１４とを連結することで内部ユニット１の剛性を補強できるように開口部１５ｈを有して枠形状に形成されており、一方の対向する第１辺１５ａおよび第２辺１５ｂからなる二辺と、他方の対向する第３辺１５ｃおよび第４辺１５ｄからなる二辺とで構成されている。
【００２２】
開口部１５ｈの周縁には内周フランジ１５ｅが一体形成されており、第１辺１５ａの外縁には内周フランジ１５ｅと同じ高さでフランジが一体形成されており、第３辺１５ｃおよび第４辺１５ｄの外縁には、内周フランジ１５ｅおよび第１辺１５ａの外縁のフランジよりも高さ寸法が大きいフランジ１５ｃ１および１５ｄ１がそれぞれ一体形成されることで、支持部材１５の強度を増強している。
【００２３】
強度を増強するための枠形状の支持部材１５は、仕切板４と室外側側板１４，１４とを連結することで内部ユニット１の剛性を増強する際、仕切板４の上端部と室外側側板１４，１４の上端部とに対し、図２に示すねじ締め固定部１８ｂのように、上方および側方からねじ締め固定されることによって強固に固定されるようになっている。
【００２４】
室内側天板１９が、図３に示すように室内側熱交換室５の上部から取り外されることにより、室内側熱交換室５からダクト５１および電装部５２を取り外したのち、図３および図４に示すように、ファンケーシング８ａを構成する上部ケーシング８ａ１と、ファンリング８ｂとを取り外し、その後、シロッコファン８を前方に移動させることで取り外すことができる。なお、ファンケーシング８ａを構成する下部ケーシング８ａ２は、室内熱交換器７の露受皿を兼ねている。
【００２５】
室外側天板２１が、図３に示すように室外側熱交換室６の上部から取り外されることにより、図４に示すように室外側熱交換室６からプロペラファン１０を取り外し、シロッコファン８とプロペラファン１０とを取り外したのち、図５に示すように支持部材１５の開口部１５ｈからファンモータ２０を取り外すことができる。
【００２６】
これにより、内部ユニット１から、室内側熱交換室５および室外側熱交換室６を洗浄した時の浸水で障害を起こす部品をすべて容易に取り外すことができる。
【００２７】
そして、内部ユニット１は、室内側熱交換室５に室内熱交換器７を、室外側熱交換室６に室外熱交換器９を残し、図６（Ａ）に示すように仕切板４によって室内側熱交換室５と室外側熱交換室６とが前後に区画されている状態から、内部ユニット１の内部を洗浄するために、図６（Ｂ）および図７に示すように、室内側熱交換室５が上になり、室外側熱交換室６が下になるように洗浄用の作業台２４に縦置きに仮設置される。
【００２８】
その際、内部ユニット１は、枠状に形成された支持部材１５の第３辺１５ｃおよび第４辺１５ｄが、仕切板４と室外熱交換器９とを室外側側板１４，１４を介して繋げたことで、図７に示す矢印Ａのように、室内側側板７ａ，７ａおよび仕切板４の側面４ｃで支持されている室内熱交換器７の自重や、上方から室内熱交換器７や仕切板４に加わる外力に対する耐力が向上している。
【００２９】
また、内部ユニット１は、枠状に形成された支持部材１５の第１辺１５ａが室外側側板１４，１４同士の間に掛け渡され、仕切板４の両側には、仕切面４ａの上縁に沿うように第２辺１５ｂが掛け渡されたことで、図７の矢印Ｂに示す横方向に加わる外力や、矢印Ｃに示す斜め方向に加わる外力に対する耐力が向上している。
【００３０】
そのため、内部ユニット１は、枠状に形成された支持部材１５によって剛性が増強され、洗浄用の作業台２４に縦置きに仮設置された時の自重や外力に対する耐力が向上することで、変形や損傷が生じなくなる。また、内部ユニット１は、室内側熱交換室５から浸水で障害を起こす部品を取り外したことで、洗浄ノズル２３から噴出する洗浄液によって室内側熱交換室５に設置された室内熱交換器７の裏側や表側、または室内熱交換器７の周辺を容易に洗浄できるようになる。
【００３１】
同様に、内部ユニット１は、室外側熱交換室６から浸水で障害を起こす部品を取り外したことで、洗浄ノズル２３から噴出する洗浄液によって室外側熱交換室６に設置された室外熱交換器９の裏側および表側や、室外熱交換器９の周辺を容易に洗浄できるようになる。
【００３２】
以上説明したように、本発明の構成によれば、室外熱交換器９の室外側側板１４，１４同士の間および仕切板４と室外側側板１４，１４との間が枠形状の支持部材１５で連結され、室内側熱交換室５の上部は室内側天板１９で着脱可能に覆われ、室外側熱交換室の上部は室外側天板２１で着脱可能に覆われたので、これら室内側天板１９と室外側天板２１とを取り外すことで、内部ユニット１を洗浄する際に、浸水で障害を起こす部品を容易に取り外すことができて、洗浄作業のため縦置きに設置されても変形もしくは損傷することなく内部ユニット１内を隅々まで洗浄できるようにした一体型空気調和機となる。
【符号の説明】
【００３３】
１  内部ユニット
２  外胴
３  ベース
４  仕切板
４ａ  仕切面
４ｂ  側面
４ｃ  側面
５  室内側熱交換室
６  室外側熱交換室
７  室内熱交換器
７ａ  室内側側板
８  シロッコファン
８ａ  ファンケーシング
８ａ１  上部ケーシング
８ｂ  ファンリング
９  室外熱交換器
１０  プロペラファン
１１  ファンリング
１２  エアガイダ
１３  圧縮機
１４  室外側側板
１５  支持部材（支持板）
１５ａ  第１辺
１５ｂ  第２辺
１５ｃ  第３辺
１５ｄ  第４辺
１５ｈ  開口部
１９  室内側天板
２０  ファンモータ
２１  室外側天板
２３  洗浄ノズル
２４  作業台
【図１】
0005927888.tif 000002
【図２】
0005927888.tif 000003
【図３】
0005927888.tif 000004
【図４】
0005927888.tif 000005
【図５】
0005927888.tif 000006
【図６】
0005927888.tif 000007
【図７】
0005927888.tif 000008
【図８】
0005927888.tif 000009